(57)【特許請求の範囲】
【請求項１】
基本調光データを記憶する照明テーブルと、照明テーブルの基本調光データに基づき調光信号を生成して出力する調光信号生成回路と、調光信号生成回路が出力する調光信号に基づき調光用照明器具を調光点灯する調光装置とを有する調光ユニットを少なくとも１つ備えた照明制御装置において、
前記照明テーブルと、前記照明テーブルの基本調光データの明るさを所望の上限又は下限に設定或いはデータ出力間隔を所望の間隔に変更するデータ変更時間を設定して基本調光データを加工して記憶する調整テーブルと、選択した調光照明用器具の特性を記憶する特性切替設定メモリとを有する外部設定器を前記調光ユニットの外部に備え、
前記調光ユニット内に該外部設定器の出力を受け入れる外部設定入力回路と、該外部設定入力回路が受け入れた出力を記憶し、調光データを前記調光制御信号生成回路に出力する記憶装置とを設けたことを特徴とする照明制御装置。
【請求項２】
前記調光ユニットは多数の調光用照明器具を調光点灯する外部の調光装置に前記調光信号生成回路が出力する調光信号をＤ／Ａ変換して出力する出力装置を有することを特徴とする請求項１記載の照明制御装置。
【請求項３】
前記調光ユニットは外部の環境に合わせ同期させて作成された調光データをＡ／Ｄ変換して記憶する記憶装置と、前記記憶装置が記憶した調光データと前記照明テーブルが記憶した基本調光データとを選択し、選択した調光データを前記外部設定器が設定した設定値に基づいて加工して前記調光信号生成回路に出力することを特徴とする請求項１又は２記載の照明制御装置。
【請求項４】
基本調光データを記憶する照明テーブルと、照明テーブルの基本調光データに基づき調光信号を生成して出力する調光信号生成回路と、調光信号生成回路が出力する調光信号に基づき調光用照明器具を調光点灯する調光装置とを有する調光ユニットを少なくとも１つ備えた照明制御装置において、
前記調光ユニットは前記照明テーブルの基本調光データの明るさを所望の上限に設定する機能、所望の下限に設定、データ出力間隔を所望の間隔に変更するデータ変更時間の設定する機能の少なくともいずれかの機能又はこれらの機能を任意の数だけ組み合わせて記憶し、前記照明テーブルの基本調光データを加工して前記調光信号生成回路に出力する調整テーブルを有することを特徴とする照明制御装置。
【請求項５】
前記調光ユニットは前記調光信号生成回路から調光信号をそれぞれ受ける複数の調光装置と、前記照明テーブルの基本調光データの明るさを所望の上限に設定する機能、所望の下限に設定、データ出力間隔を所望の間隔に変更するデータ変更時間の設定する機能、前記照明テーブルの基本調光データをそのまま出力させると共に複数の所定の遅延時間を与えた基本調光データをそれぞれ出力するように設定する機能、或いは前記照明テーブルの基本調光データに対してそれぞれ複数の所定の開始点を与えた基本調光データをそれぞれ出力するように設定する機能の少なくともいずれかの機能又はこれらの機能を任意の数だけ組み合わせて記憶し、前記照明テーブルの基本調光データを加工して前記調光信号生成回路に出力する調整テーブルを有し、これら複数の調光装置にはそれぞれ調光点灯させられる複数の調光照明器具を接続したことを特徴とする請求項４記載の照明制御装置。
【請求項６】
前記調光ユニットは調光用照明器具の種類を選択できる特性切替スイッチと、調光用照明器具の種類に応じた各種調光特性を記憶し、該特性切替スイッチが選択した調光用照明器具の調光特性を前記調光信号生成回路に出力する調光特性テーブルとを有していることを特徴とする請求項４又は５記載の照明制御装置。
【請求項７】
前記照明テーブルと、前記調整テーブルと、選択した調光用照明器具の調光特性を記憶する特性切替設定メモリとを有する外部記憶装置を前記調光ユニットの外部に備え、前記調光ユニット内に該外部記憶装置の出力を受け入れる外部設定入力回路を備え、この外部記憶装置１台に対して調光ユニットを１台又は複数接続したことを特徴とする請求項６記載の照明制御装置。
【請求項８】
前記調光ユニットは多数の調光用照明器具を調光点灯する外部の調光装置に前記調光信号生成回路が出力する調光信号をＤ／Ａ変換して出力する出力装置を有することを特徴とする請求項４〜７のいずれか記載の照明制御装置。
【請求項９】
前記調光ユニットは外部の環境に合わせ同期させて作成された調光データをＡ／Ｄ変換して記憶する記憶装置と、記憶装置が記憶した調光データと前記照明テーブルが記憶した基本調光データとを選択し、選択した調光データを前記外部記憶装置が出力した出力値に基づいて加工して前記調光信号生成回路に出力することを特徴とする請求項４〜８のいずれか記載の照明制御装置。
【発明の詳細な説明】
【０００１】
【発明の属する技術分野】
本発明は、照明器具の明るさや点滅を制御する照明制御装置に関するものである。
【０００２】
【従来の技術】
図２８は従来の照明制御装置の構成を示すブロック図である。 図において、１は照明制御装置で、電源同期回路８、調光特性回路９、比較回路１０、温度検出回路１１、点弧回路１２、トライアック１３、制御回路１４とで構成されている。２はタイマ、３は蛍光灯、４は白熱灯、６はトライアック１３と蛍光灯３及び白熱灯４とを接続した調光信号線、７は電源である。
この照明制御装置１では、まず電源同期回路８で電源７の同期信号を作成して調光特性回路９に入力する。調光特性回路９では照明器具に合った調光特性の調光信号を比較回路１０に出力する。比較回路１０では温度検出回路１１から異常温度上昇の検出信号がない場合にはそのまま調光信号を点弧回路１２に出力し、点弧回路１２は調光信号に応じてトライアック１３を点弧し、その点弧の状態により蛍光灯３や白熱灯４の明るさが調整される。
また、制御回路１４より比較回路１０に入力する信号を自動的に可変さることにより、例えばフェードインやフェードアウトさせたり、点弧回路１２に入力する信号を自動的に可変させてトライアック１３を自動的に制御することにより、たとえば自動的に点滅させたりするようにしている。
さらに、タイマー２からの信号を制御回路１４に入力させ、蛍光灯３や白熱灯４を必要な時間だけ点灯することにより、省エネルギーを実現するようにしている。
【０００３】
このような省エネルギを主目的とする照明制御装置のほか、演出照明を目的とした照明制御システム装置がある。この演出照明を目的としたものとして特開平９−１０６８９０号公報に記載のものがある。この公報に記載の照明制御システム装置は、ろうそくの炎のゆらめきを電気的照明によって実現することにより、商空間や住空間において演出効果の高い照明が得られるものとする。
【０００４】
【発明が解決しようとする課題】
しかしながら、かかる演出照明を目的とした照明制御装置にあっては、演出効果を  最適に設定するために、個々の条件に合ったハードをその都度設計する必要があるため、容易に、しかも短納期に目的とする演出効果を得ることは困難であるという問題があった。
【０００５】
本発明は上記の問題点を改善するためになされたもので、簡単な設定で、あらゆる演出効果を容易に設定することができる照明制御装置を得ることを目的とする。
【０００６】
【課題を解決するための手段】
本発明の請求項１の照明制御装置は、基本調光データを記憶する照明テーブルと、照明テーブルの基本調光データに基づき調光信号を生成して出力する調光信号生成回路と、調光信号生成回路が出力する調光信号に基づき調光用照明器具を調光点灯する調光装置とを有する調光ユニットを少なくとも１つ備えた照明制御装置において、
前記照明テーブルと、前記照明テーブルの基本調光データの明るさを所望の上限又は下限に設定或いはデータ出力間隔を所望の間隔に変更するデータ変更時間を設定して基本調光データを加工して記憶する調整テーブルと、選択した調光照明用器具の特性を記憶する特性切替設定メモリとを有する外部設定器を前記調光ユニットの外部に備え、
前記調光ユニット内に該外部設定器の出力を受け入れる外部設定入力回路と、該外部設定入力回路が受け入れた出力を記憶し、調光データを前記調光制御信号生成回路に出力する記憶装置とを設けて構成される。
【０００７】
本発明の請求項２の照明制御装置は、前記調光ユニットは多数の調光用照明器具を調光点灯する外部の調光装置に前記調光信号生成回路が出力する調光信号をＤ／Ａ変換して出力する出力装置を有している。
【０００８】
本発明の請求項３の照明制御装置は、前記調光ユニットは外部の環境に合わせ同期させて作成された調光データをＡ／Ｄ変換して記憶する記憶装置と、前記記憶装置が記憶した調光データと前記照明テーブルが記憶した基本調光データとを選択し、選択した調光データを前記外部設定器が設定した設定値に基づいて加工して前記調光信号生成回路に出力するようにしている。
【０００９】
本発明の請求項４の照明制御装置は、基本調光データを記憶する照明テーブルと、照明テーブルの基本調光データに基づき調光信号を生成して出力する調光信号生成回路と、調光信号生成回路が出力する調光信号に基づき調光用照明器具を調光点灯する調光装置とを有する調光ユニットを少なくとも１つ備えた照明制御装置において、
前記調光ユニットは前記照明テーブルの基本調光データの明るさを所望の上限に設定する機能、所望の下限に設定、データ出力間隔を所望の間隔に変更するデータ変更時間の設定する機能の少なくともいずれかの機能又はこれらの機能を任意の数だけ組み合わせて記憶し、前記照明テーブルの基本調光データを加工して前記調光信号生成回路に出力する調整テーブルを有して構成される。
【００１０】
本発明の請求項５の照明制御装置は、前記調光ユニットは前記調光信号生成回路から調光信号をそれぞれ受ける複数の調光装置と、前記照明テーブルの基本調光データの明るさを所望の上限に設定する機能、所望の下限に設定、データ出力間隔を所望の間隔に変更するデータ変更時間の設定する機能、前記照明テーブルの基本調光データをそのまま出力させると共に複数の所定の遅延時間を与えた基本調光データをそれぞれ出力するように設定する機能、或いは前記照明テーブルの基本調光データに対してそれぞれ複数の所定の開始点を与えた基本調光データをそれぞれ出力するように設定する機能の少なくともいずれかの機能又はこれらの機能を任意の数だけ組み合わせて記憶し、前記照明テーブルの基本調光データを加工して前記調光信号生成回路に出力する調整テーブルを有し、これら複数の調光装置にはそれぞれ調光点灯させられる複数の調光照明器具を接続するようにしている。
【００１１】
本発明の請求項６の照明制御装置は、前記調光ユニットは調光用照明器具の種類を選択できる特性切替スイッチと、調光用照明器具の種類に応じた各種調光特性を記憶し、該特性切替スイッチが選択した調光用照明器具の調光特性を前記調光信号生成回路に出力する調光特性テーブルとを有している。
【００１２】
本発明の請求項７の照明制御装置は、前記照明テーブルと、前記調整テーブルと、選択した調光用照明器具の調光特性を記憶する特性切替設定メモリとを有する外部記憶装置を前記調光ユニットの外部に備え、前記調光ユニット内に該外部記憶装置の出力を受け入れる外部設定入力回路を備え、この外部記憶装置１台に対して調光ユニットを１台又は複数接続したものである。
【００１３】
本発明の請求項８の照明制御装置は、前記調光ユニットは多数の調光用照明器具を調光点灯する外部の調光装置に前記調光信号生成回路が出力する調光信号をＤ／Ａ変換して出力する出力装置を有する。
【００１４】
本発明の請求項９の照明制御装置は、前記調光ユニットは外部の環境に合わせ同期させて作成された調光データをＡ／Ｄ変換して記憶する記憶装置と、記憶装置が記憶した調光データと前記照明テーブルが記憶した基本調光データとを選択し、選択した調光データを前記外部記憶装置が出力した出力値に基づいて加工して前記調光信号生成回路に出力するようにしている。
【００１９】
【発明の実施の形態】
実施の形態１．
図１は本発明の実施の形態１の照明制御装置の調光ユニットの構成を示すブロック図、図２は同照明制御装置の構成を示すブロック図である。
図において、１Ａは照明制御装置で、その内部に３つの調光ユニット２０が内蔵され、各調光ユニット２０と調光用照明器具３４とは調光信号線６で接続され、各調光ユニット２０は各調光用照明器具３４の１系統を制御し、３つの調光ユニット２０によって多種多様の演出照明制御を行うよう構成されている。
７は商用電源、２１は商用電源７の交流を直流に変換してマイクロコンピュータ３７等に出力する電源回路、２２は商用電源７の交流に基づいて同期信号を作成して出力する電源同期回路である。
【００２０】
２３は基本調光データが記憶されている照明テーブルである。その基本調光データの内容としては、例えば１／ｆの規則に則って光りが変化して人間に安らぎを与える光、人間に刺激を与える光、人間に危険を感じさせる光、光が段階的に変化するもの、サイン波のようになめらかに変化をするもの、ただ単に点滅させるもの等があるが、この実施の形態１では照明テーブル２３に記憶されている基本調光データＡは図３に示すように時間０からｔの間（例えば５分間）に０．１秒間隔で明るさが０％（消灯状態）から１００％（全点灯状態）の範囲で変化するデータ数が３０００の人間に安らぎを与えるものである。
【００２１】
２４は照明テーブル２３に記憶されている基本調光データに対して明るさ、データ変更時間、データ遅延時間及びデータ開始点を選択的に設定して設定データとして出力する設定器、２５は外部からのアナログの調光データ信号が入力される入力回路、２６は入力回路２５に入力されたアナログの調光データ信号をデジタル信号に変換するＡ／Ｄ変換回路、２７はＡ／Ｄ変換回路２６によってデジタル信号に変換された調光データを記憶する記憶装置、２８は照明テーブル２３からの調光データと記憶装置２７からの調光データのいずれかを選択し、選択した調光データを設定器２４からの設定データにより加工して出力する選択回路、２９は選択回路２８から出力され加工された調光データを必要に応じて補間して出力する補間回路、３０は装着される調光用照明器具３４が蛍光灯か白熱灯かによりそれに応じた調光特性を選択するための特性切替スイッチ、３１は装着される調光用照明器具３４の種類に応じた調光特性を記憶する調光特性テーブルである。その調光特性テーブル３１には例えば図１０の（ａ）に示すように装着される調光用照明器具３４が白熱灯、２種の蛍光灯の調光特性が記憶されている。また、図１０の（ｂ）は調光用照明器具３４の明るさを制御するトライアック出力回路３３が出力する電源波形（点弧信号）の位相角を示し、明るくするなら位相角を小さく、暗くするなら位相角を大きくして明るさが調整される。
【００２２】
３２は調光特性テーブル３１から読み込んだ調光特性と、電源同期回路２２の同期信号と補間回路２９からの調光データとに基づいて調光信号を生成して出力する調光信号生成回路、３３は調光信号生成回路３２から出力された調光信号に基づいて位相角を制御した点弧信号を調光用照明器具３４に出力する調光装置であるトライアック出力回路である。３５は調光信号生成回路３２が出力したデジタルの調光信号をアナログに変換して出力するＤ／Ａ変換回路、３６はＤ／Ａ変換回路３５が出力するデジタルの調光信号を外部に出力するための出力回路、３７はマイクロコンピュータで、照明テーブル２３、Ａ／Ｄ変換器２６、記憶装置２７、選択回路２８、補間回路２９、調光特性テーブル３１、Ｄ／Ａ変換器３５及び位相信号生成回路３５とで構成されている。なお、この調光ユニット２０は位相制御信号を出力するタイプのものであるが、ＰＷＭ信号などで調光用照明器具３４を調光するための信号出力タイプのものでも勿論かまわない。以下の説明では、位相制御信号を出力するタイプのもので説明する。
【００２３】
次に、本発明の実施の形態１の照明制御装置の動作について説明する。
まず、照明テーブル２３に図３に示すように人間にやすらぎを与えるとする基本調光データＡが記憶されており、設定器２４で何も設定しないで調光用照明器具３４を自動調光させる場合について説明する。
このとき、調光用照明器具３４が白熱灯とすると、特性切替スイッチ３０を操作して調光特性テーブル３１から白熱灯調光特性が呼び出せるように設定しておく。
この調光用照明器具３４を自動調光させる場合は、照明テーブル２３に記憶された基本調光データＡが選択回路２８及び補間回路２９を経て調光信号生成回路３２に出力される。その調光信号生成回路３２では基本調光データＡに対して電源同期回路２２からの同期信号により同期をとり、基本調光データＡの明るさに対して調光特性テーブル３１からの調光特性に基づき位相角を決定した調光信号をトライアック出力回路３３に出力する。そのトライアック出力回路３３では位相角を制御した点弧信号により調光用照明器具３４を調光点灯する。
即ち、マイクロコンピュータ３７が照明テーブル２３に記憶されている基本調光データＡ通りに、時間０から時間ｔの間に明るさが０％から１００％までの間で白熱灯の調光用照明器具３４の明暗が変化して自動調光されるよう制御することになる。以上の説明は調光用照明器具３４が白熱灯としたときであるが、調光用照明器具３４が蛍光灯のときは、特性切替スイッチ３０を操作して調光特性テーブル３１から蛍光灯調光特性が呼び出せるように設定しておけばよい。
【００２４】
次に、照明テーブル２３に図３に示すように人間にやすらぎを与えるとする基本調光データＡが記憶されており、設定器２４で明るさを設定して調光用照明器具３４を自動調光させる場合について説明する。
設定器２４による明るさの設定として、例えば明るさ上限を９０％、明るさ下限を３０％と設定した場合である。
このように設定器２４を設定することによって、基本調光データＡは選択回路２８によって図４に調光データＡ１として示すように、基本調光データＡが上下に圧縮されたようになる。この調整された調光データＡ１を調光ユニット２０を使用して調光用照明器具３４を調光させた場合は、調光用照明器具３４の明るさが図４に示すように、時間０から時間ｔの変化と共に明るさ下限が３０％から明るさ上限が９０％まで変化するようになる。
即ち、照明テーブル２３に記憶されている基本調光データＡが設定器２４の設定により選択回路２８で調光データＡ１のように加工され、調光用照明器具３４が自動調光されたことになる。上述の説明では、明るさ上限と明るさ下限を共に調整したが、設定器２４によりどちらか一方を設定するようにしてもよい。
【００２５】
さらに、照明テーブル２３に図３に示すように人間にやすらぎを与えるとする基本調光データＡが記憶されており、設定器２４でデータ変更時間を設定して調光用照明器具３４を自動調光させる場合について説明する。
基本調光データＡは、時間０から時間ｔまでの間に０．１秒間隔で３０００個のデータが次々に変更されていくものであるが、設定器２４により例えばデータ変更時間を０．２秒とすると、３０００個のデータを出力する時間が２倍になるから、基本調光データＡは図６に示す調光データＡ２のように横に２倍伸びた形になる。
従って、この調光データＡ２を調光ユニット２０を使用して調光用照明器具３４を調光させた場合は、調光用照明器具３４の明るさが図６に示すように、時間０から時間２ｔまでの変化となり、図５の場合にくらべて、緩やかに光りが変化するようになる。以上がデータ変更時間の設定である。
なお、設定器２４によるデータ変更時間の設定で、変更時間を例えば０．３秒というように長くすると、光が突然変化するように見えてしまい違和感を生じてしまう場合がある。
【００２６】
そこで、光の変化が滑らかになるように人間の目では十分わからない時間でデータを変更するように補正する必要がある。
例えば、図７に示すような基本調光データＡの最初の４つの調光データ３２、３３、３４、３５（黒●）がそれぞれ０．１秒間隔で出力されるのを基本とするとしたときに、設定器２４によりデータ変更時間を３倍に長く設定した場合には補間回路２９が働き、図８の調光データＡ３に示すように調光データ３２と３３からデータを直線補間し、調光データ３２ａや３２ｂ（白○）を作り、データ変更時間を長くしても常に０．１秒間隔で直線補間した調光データを出力するようにする。また、調光データ３３と３４の間や３４と３５の間も同様に直線補間して調光データ３３ａや３３ｂ、３４ａや３４ｂ（白○）を作る。
このようにすれば、データ変更時間が長くなるように変更されても常に０．１秒間隔で調光データが変更されるので明るさがスムーズに変化し、人間には違和感を生じさせることはない。
【００２７】
以上の説明は設定器２４により明るさとデータ変更時間の設定を別々にした場合であるが、明るさとデータ変更時間の設定を同時に行ってもよいことは勿論である。この場合の調光データＡ４を図９に示す。このように加工された調光データＡ４で調光ユニット２０を使用して調光用照明器具３４を自動調光させた場合は、調光用照明器具３４の明るさが図９に示すように、時間０から時間２ｔまでの変化となると共に明るさの下限から明るさの上限までの範囲で明るさが変化することになる。
【００２８】
以上説明したように、照明テーブル２３に記憶されている人間にやすらぎを与えるとする基本調光データＡを設定器２４で明るさやデータ変更時間を設定することで加工することにより、同じ人間にやすらぎを与える調光データでも各種の調光を得ることができ、種々の演出効果を提供することができる。
また、照明テーブル２３に記憶される基本調光データは人間にやすらぎを与えるものに限るものではなく、人間に刺激を与えるものや危険を感じさせるものを記憶させておけば、これらについても各種の調光を得ることができ、種々の演出効果を提供することができる。
さらに、調光用照明器具３４が白熱灯、又は蛍光灯というように負荷の種類によって調光特性テーブル３１を特性切替スイッチ３０の設定によって最適のものを選定することによって、照明負荷の種類が変更になっても、例えば白熱灯から蛍光灯への変更など調光ユニット２０を交換する必要はなく、調光ユニット２０の共通化を図ることができる。
【００２９】
また、図１１に示すように、調光ユニット２０の出力回路３６に調光装置１６が接続されている場合について説明する。図において、５７は出力回路３６と調光装置１６とを接続する信号出力線、１７は調光装置１６の出力側に接続された複数のダウンライト、１８は調光装置４０の出力側に接続された複数の蛍光灯、１９は調光装置４０の出力側に接続された複数の投光器である。
このように調光ユニット２０の出力回路３６に調光装置１６が接続されている場合、マイクロコンピュータ３７内部の位相制御信号生成回路３２で生成されたデジタルの調光信号がＤ／Ａ変換回路３５でアナログ信号へ変換されて出力回路３６から出力され、信号出力線５７を介して調光装置１６に伝送されるようにしている。
【００３０】
こうすることにより、調光ユニット２０単体では比較的小容量、例えば３００Ｗまでの調光用照明器具３４にしか対応できないものを、外付けの調光装置１６を別途用意して調光ユニット２０に接続することによって、それより大容量、例えば複数のダウンライト１７、蛍光灯１８及び投光器１９で１６００Ｗの負荷について対応可能となり、より大きな対象物についても標準の調光ユニット２０を用意するだけで演出照明用の調光設備を実現することが可能となり、納期の短縮や標準化が図られ、メンテナンス性も統一化されるため、トータルのコストが低減されることとなる。
【００３１】
また、図１２に示すように、調光ユニット２０の入力回路２５に太陽電池５８が接続されている場合について説明する。図において、５９は入力回路２５と太陽電池５８とを接続する信号入力線である。
このように調光ユニット２０の入力回路２５に太陽電池５０が接続されている場合、太陽６０からの太陽光６２が太陽電池５８に入射すると、その入射光の強さによって太陽電池５８の出力が変化し、また太陽光６２が雲６１に遮られることによっても太陽電池５８の出力が変化する。
従って、調光ユニット２０の入力回路２５へ入力される信号の大きさが変化する。入力回路２５へ入力された信号はＡ／Ｄ変換回路２６でデジタル信号に変換されて記憶装置２７に入力されて記憶される。
【００３２】
そして、選択回路２８が記憶装置２７を選択して設定器２４で何も設定しない場合は、記憶装置２７に記憶された太陽光の強弱に応じた信号に基づいて調光信号生成回路３７が調光信号を生成し、その調光信号で調光用照明器具３４を調光するので、調光用照明器具３４の明るさが太陽光の変化に対応して同じように変化する調光ができることになる。従って、昼間に記憶装置２７に記憶されたデータを夜に再現するようにすることにより、昼間の環境が忠実に別の時間に再現することができる。
この原理を応用すれば、温室栽培等の夜間点灯も単純な１００％点灯ではなく、時間と共に変化する、実際の太陽からふりそそぐ太陽光のように再現できることになるから、より自然に近い環境での栽培が別空間で可能となる。
【００３３】
また、我々の生活環境に関しても、１日中地下街で働いたり、地下で生活空間を持つ場合が近い将来多くなったとしても、外界の自然の光を忠実に再現できるから、１日中外の天気がどのようになっていたかなど、自分で自覚するまもなく、人間の感覚で自然に認識することが可能となる。
更に、このような照明システムを応用し、地下都市を再現させれば、地上の自然のままに照明環境を再現でき、より快適な照明空間を再現できることになる。
また、選択回路２８が記憶装置２７を選択して設定器２４で明るさやデータ変更時間を設定する場合は選択回路２８で太陽光の変化のデータを明るさやデータ変更時間で加工されることにより、同じ太陽光の変化を表す調光データでも各種の調光を得ることができ、種々の演出効果を提供することができる。
【００３４】
さらに、図１３に示すように、調光ユニット２０の入力回路２５に風力発電機６３が接続されている場合について説明する。図において、５９は入力回路２５と風力発電機６３とを接続する信号入力線である。
このように調光ユニット２０の入力回路２５に風力発電機６３が接続されている場合、風力発電機６３に当たる風６４の強弱によって出力が変化する。
従って、調光ユニット２０の入力回路２５へ入力される信号の大きさが変化し、その信号はＡ／Ｄ変換回路２６でデジタル信号に変換されて記憶装置２７に入力されて記憶される。
そして、選択回路２８が記憶装置２７を選択して設定器２４で何も設定しない場合は、記憶装置２７に記憶された風６４の強弱に応じた信号に基づいて調光信号生成回路３７が調光信号を生成し、その調光信号で調光用照明器具３４を調光するので、調光用照明器具３４の明るさが風の変化に対応して同じように変化する調光ができることになる。
また、このような照明システムは他に応用があり、調光用照明器具３４の代わりに空調設備６５を接続することによって、他の場所で外界の風の雰囲気を再現できる。また、調光用照明器具３４や空調設備６５を同時に接続して使用してもかまわない。
【００３５】
更にまた、図１４に示すように、調光ユニット２０の入力回路２５に水車６６に連結された発電機６８が接続されている場合について説明する。図において、５９は入力回路２５と発電機６８とを接続する信号入力線である。
このように調光ユニット２０の入力回路２５に水車６６に連結された発電機６８が接続されている場合、水車６６は川６７の流れに応じた回転を行い、その回転が発電機６８に伝達されるため、川６７の流れの強弱によって発電機６８の出力が変化する。
従って、調光ユニット２０の入力回路２５へ入力される信号の大きさが変化し、その信号はＡ／Ｄ変換回路２６でデジタル信号に変換されて記憶装置２７に入力されて記憶される。
【００３６】
そして、選択回路２８が記憶装置２７を選択して設定器２４で何も設定しない場合は、記憶装置２７に記憶された川６７の流れの強弱に応じた信号に基づいて調光信号生成回路３７が調光信号を生成し、その調光信号で調光用照明器具３４を調光するので、調光用照明器具３４の明るさが川６７の流れの変化に対応して同じように変化する調光ができることになる。
また、このような照明システムは他に応用があり、調光用照明器具３４の代わりに空調設備６５を接続したり、モータ６９を接続することによって、他の場所で川の流れの変化に基づく風の雰囲気を再現したり、川の流れを再現することができる。また、調光用照明器具３４や空調設備６５やモータ６９を同時に接続して使用してもかまわない。
【００３７】
以上説明したように、図１の調光ユニット２０の入力回路２５に、太陽電池５８、風力発電機６３、水車６６に連結された発電機６８の出力を入力することによって、自然界の雰囲気を再現した演出照明が可能となる。
また、設定器２４で明るさやデータ変更時間を設定することにより、自然界の変化のデータが明るさやデータ変更時間で加工されることにより、同じ自然界の変化を表す調光データでも各種の調光を得ることができ、種々の演出効果を提供することができる。
【００３８】
実施の形態２．
図１５は本発明の実施の形態２の照明制御装置の調光ユニットの構成を示すブロック図である。
実施の形態１では照明テーブル２３に記憶されている基本調光データＡを設定器２４によって設定された明るさやデータ変更時間によって加工した加工データで調光制御するようにしていたが、この実施の形態２では設定器２４によって設定される明るさやデータ変更時間の内容をマイクロコンピュータ３７の内部に設けた調整テーブル３６に予め記憶させておくようにしたものである。それ以外の構成は実施の形態１と同様であるので、実施の形態１と同一符号を付して重複した構成の説明を省略する。
【００３９】
この実施の形態２では、照明テーブル２３に例えば人間にやすらぎを与えるとする基本調光データＡを記憶させておき、調整テーブル３６には例えば明るさ上限を９０％、明るさ下限を３０％とする設定値を記憶させておく。
そうすると、選択回路２８によって照明テーブル２３の基本調光データＡが調整テーブル３６の明るさ上限を９０％、明るさ下限を３０％とする設定値によって加工され、図４に調光データＡ１として示すように基本調光データＡが上下に圧縮されたようになる。この調整された調光データＡ１を調光ユニット２０を使用して調光用照明器具３４を調光させた場合は、調光用照明器具３４の明るさが図４に示すように、時間０から時間ｔの変化と共に明るさ下限が３０％から明るさ上限が９０％まで変化するようになる。
上述の説明では、明るさ上限と明るさ下限を共に調整テーブル３６に記憶させているが、明るさ上限と明るさ下限のどちらか一方を調整テーブル３６に記憶させるようにしてもよく、このときは照明テーブル２３の基本調光データＡが調整テーブル３６の明るさ上限を９０％か明るさ下限を３０％かのいずれかの設定値によって加工されることとなる。
【００４０】
次に、照明テーブル２３に例えば人間にやすらぎを与えるとする基本調光データＡを記憶させておき、調整テーブル３６には例えばデータ変更時間を０．２秒とする設定値を記憶させておく。
そうすると、選択回路２８によって照明テーブル２３の基本調光データＡが調整テーブル３６のデータ変更時間を０．２秒とする設定値によって加工され、基本調光データＡは図６に示す調光データＡ２のように横に２倍伸びた形になる。
従って、この調光データＡ２を調光ユニット２０を使用して調光用照明器具３４を調光させた場合は、調光用照明器具３４の明るさが図６に示すように、時間０から時間２ｔまでの変化となり、図５の場合にくらべて、緩やかに光りが変化するようになる。
また、調整テーブル３６には例えばデータ変更時間を０．３秒とする設定値を記憶させておくときには、実施の形態１で述べたように補間回路２９が働き、データ変更時間を０．３秒と長くしても常に０．１秒間隔で直線補間した調光データを出力するようになり、明るさがスムーズに変化し、人間には違和感を生じさせることはない。
【００４１】
以上の説明は調整テーブル３６に明るさとデータ変更時間を別々に記憶させた場合であるが、明るさ（上限を９０％、下限を３０％）とデータ変更時間（０．２秒）を一緒に記憶させてもよいことは勿論である。このときに、基本調光データＡは加工されて図９に示す調光データＡ４となり、この調光データＡ４で調光ユニット２０を使用して調光用照明器具３４を自動調光させた場合は、調光用照明器具３４の明るさが、時間０から時間２ｔまでの変化となると共に明るさの下限が３０％から明るさの上限が９０％までの範囲で明るさが変化することになる。
また、照明テーブル２３に記憶される基本調光データも人間にやすらぎを与えるものに限定されるものでなく、人間に刺激をあたえるものや危険を感じさせるものであってもよいことは勿論である。
【００４２】
この実施の形態２のように、演出する対象の照明器具や演出する調光度合いが明確になっている場合には、予め明るさやデータ変更時間の設定値が記憶される調整テーブル３６を用意することによって、調光ユニット２０を現場に設置した後、現場調整を行う手間が軽減されたり、設定器２４に関する部品を削減することが可能となり、安価なシステムを市場に供給することが可能となる。
また、このような調整テーブル３６を用意する方式が利用されるのはスタンド等の比較的小型な照明器具に有効である。
【００４３】
実施の形態３．
図１６は本発明の実施の形態３の照明制御装置の調光ユニットの構成を示すブロック図、図１７は同照明制御装置の構成を示すブロック図である。
この実施の形態３は、実施の形態１が調光信号生成回路３７の出力側が１系統のみの場合であるの対し、調光信号生成回路３７の出力側が２系統の場合を示している。
この実施の形態３では、照明制御装置１Ａの内部に２つの調光ユニット２０が内蔵され、各調光ユニット２０と調光信号線６ａ、６ｂにより２つの調光用照明器具３４ａ、３４ｂがそれぞれ接続され、各調光用照明器具３４ａ、３４ｂの２系統分を１台の照明制御装置１Ａで制御するように構成したものである。
従って、各調光ユニット２０も２つの調光用照明器具３４ａ、３４ｂに対応して位相制御信号生成回路３２の出力側に２つのトライアック出力回路３３ａ、３３ｂを設けており、この点が実施の形態１と相違するところである。
しかし、位相制御信号生成回路３２の出力側が２系統になっただけでは、照明演出の特異性は見出せないが、調光用照明器具３４ａ、３４ｂをそれぞれに関連づけさせることによって、特異性を説明することができる。
【００４４】
即ち、設定器２４で基本調光データＡに対してデータ遅延量を設定することにより、照明演出の特異性を持たせている。以下、図１８及びず１９に基づいて具体的に説明する。
設定器２４により、図１８の（ａ）に示すように照明テーブル２３に記憶されている基本調光データＡに基づいて調光用照明器具３４ａを調光させ、調光用照明器具３４ｂに対しては図１８の（ｂ）に示すように基本調光データＡを遅延させた調光データＡ５となるよう遅延時間τを設定する。なお、ここでの遅延は基本調光データＡに対して開始点が遅延時間τだけ遅れることを意味する。
このように設定器２４によって遅延時間τを設定すると、調光用照明器具３４ａの点灯状態の後を追いかけるように調光用照明器具３４ｂが調光点灯するようになる。
【００４５】
図１９は設定器２４でデータ遅延量を設定した場合の樹木のライトアップの適用例を示す説明図である。図において、５６は樹木、１９ａａ、１９ｂは調光用照明器具３４ａ，３４ｂを投光器として用いているものである。
設定器２４で図１８で示したように設定し、投光器１９ａ、１９ｂを点灯させると、普通に樹木５６を投光した場合に比べ以下に示すような特異性がでて、演出効果が高まる。
即ち、投光器１９ａの点灯状態の後を追いかけるように投光器１９ｂが点灯するようになるので、光りが規則的に左右に移動するように観測される。投光器が１系統（１灯）の場合は明暗の変化が観測されるだけであるが、上述のように投光器を２系統（２灯）とすることによって、光の明暗および光りの移動が再現でき演出効果が高まる。
【００４６】
図２０は図１９の樹木のライトアップの応用例を示す説明図で、調光ユニット２０を５つ用意し、各調光ユニット２０に２つの投光器を接続したものである。
これは、例えば桜のライトアップ等に関しては、大きな幹となる場合が多いので、５系統（５灯）以上で行うのが望ましいとして考えられたものである。
この応用例でも２つの投光器を接続した調光ユニット２０を５つ用意しただけでは、照明演出の特異性は見出せないが、５組の投光器１９ａ、１９ｂをそれぞれに関連づけさせることによって、特異性を説明することができる。
【００４７】
即ち、１組目の調光ユニット２０の設定器２４では、基本調光データＡに基づいて調光用照明器具３４ａを調光させ、調光用照明器具３４ｂに対しては基本調光データＡを遅延させた調光データＡ５となるよう遅延時間τを設定し、２組目の調光ユニット２０の設定器２４では、調光用照明器具３４ａに対しては基本調光データＡを遅延させた調光データＡ６となるよう遅延時間２τを設定し、調光用照明器具３４ｂに対しては基本調光データＡを遅延させた調光データＡ７となるよう遅延時間３τを設定し、３組目〜５組目の調光ユニット２０の設定器２４では、それぞれの調光用照明器具３４ａ、３４ｂに対して遅延時間τを順次増大させていくよう設定する。
【００４８】
こうすることにより、各樹木５６ａ、５６ｂ、５６ｃ、５６ｄ、５６ｅをそれぞれ投光する５組の投光器１９ａ、１９ｂが各樹木５６ａ、５６ｂ、５６ｃ、５６ｄ、５６ｅの順に光りが明暗を繰り返しながら移動しているように見えさせることができる。なお、各組の調光ユニット２０の設定器２４によるそれぞれの調光用照明器具３４ａ、３４ｂに対する遅延時間τの設定の仕方によっては、樹木５６ａ、５６ｂ、５６ｃ、５６ｄ、５６ｅを１つ飛びに同じ点灯状態にしたりする照明パターンを作ったりすることができる。この場合はより幻想的なライトアップが再現でき、演出効果がより高まる。
【００４９】
図２１は調光ユニット２０の設定器２４により基本調光データＡに対してデータ開始点を設定した例を示す説明図である。
図２１では、一方の調光用照明器具３４ａに対しては、データ数が３０００個の基本調光データＡをＮＯ．１からデータを読み取って基本調光データＡをそのまま使用するよう、即ち開始点をデータＮＯ．１と設定し、他方の調光用照明器具３４ａに対しては、データ数が３０００個の基本調光データＡをＮＯ．１からデータを読み取って基本調光データＡの途中から使用するよう、即ち開始点をデータＮＯ．１００と設定する。このことは、基本調光データＡの形状は同じであっても、データを読み取り始める位置を変えることによって、照明パターンを変えることができることを示している。
このように設定器２４によって基本調光データＡに対して開始点を異なるように設定すると、調光用照明器具３４ａと調光用照明器具３４ｂの調光点灯パターンを変えることができるようになる。
【００５０】
また図２０のような樹木をならべた場合において、各樹木５６ａ、５６ｂ、５６ｃ、５６ｄ、５６ｅを意図的にバラバラに調光点灯させたい場合にも、設定器２４による開始点設定を適宜に設定することによって、同じ基本調光データＡを使用していながら、人間の目ではまったく異なった調光点灯をしているかのように見える。
また、各樹木の調光点灯に関し、同じ基本調光データＡを使用しているので、全体としての演出効果の均一性は保たれる。
また、調光ユニット２０の内部の照明テーブル２３は１種類でよいためにマイクロコンピュータ３７のメモリ節減にも貢献することができる。
【００５１】
この実施の形態３における上記説明では、設定器２４による設定項目としてデータ遅延量と開始点の設定の２項目について説明したが、この実施の形態３において、設定器２４による設定項目としてデータ遅延量と開始点の他に、明るさ上限設定、明るさ下限設定、データ変更時間設定を加えた５項目を設定できるようにしておけば、種々の演出照明効果を得ることができる照明制御装置を安価で短納期に納入することができる。
【００５２】
実施の形態４．
図２２は本発明の実施の形態４の照明制御装置の構成を示すブロック図、図２３は同照明制御装置により照明される光窓照明の例を示す説明図である。
この実施の形態４の照明制御装置１Ａは出力側が１系統である５つの調光ユニット２０を備え、各調光ユニット２０の出力側に複数の調光用照明器具を並列接続した構成のものである。また各調光ユニット２０は設定器（図示省略）が以上説明した通り５つの設定項目を有しているものである。
図２２、図２３の壁照明セット本体３８からオブジェ４０ａ、４０ｂ、４０ｃ、４０ｄ、４０ｅ、４０ｆ、４０ｇ、４０ｈを取り外し、照明器具配置スペース３９内部の照明器具の配置を示している。
【００５３】
即ち、１つの調光ユニット２０に接続された蛍光灯器具４４ａ、４４ｂ、４４ｃと、別の調光ユニット２０に接続された４５ａ、４５ｂ、４５ｃと、また別の１つの調光ユニット２０に接続された４６ａ、４６ｂ、４６ｃと、さらにまた別の調光ユニット２０に接続された４７ａ、４７ｂ、４７ｃとが壁照明セット本体３８の下面、上面、両側面の照明器具取付ベース４３ａ、４３ｂ、４３ｃ、４３ｄにそれぞれ配置され、各光が上下左右から図２３に示す各オブジェ４０を照らすようになっている。
また、背面からは光ファイバ導光管出口４２からの光によって、照らされる構造である。この光ファイバ導光管出口４２へは上記とは別の調光ユニット２０に接続され、別途用意した光ファイバ用光源４９から光りが供給される。即ち、壁照明セット本体３８の５面方向から図２３に示す各オブジェ４０ａ、４０ｂ、４０ｃ、４０ｄ、４０ｅ、４０ｆ、４０ｇ、４０ｈへ光りが照らされることになる。
【００５４】
図２３はこの実施の形態４の照明制御装置１Ａにより照明される光壁照明の例を示し、壁照明セット本体３８にオブジェ４０ａ、４０ｂ、４０ｃ、４０ｄ、４０ｅ、４０ｆ、４０ｇ、４０ｈを配置している。
また、壁照明セット本体３８の右側面には光りを透過するスリット４１ａ、同じく左側にもスリット４１ｂを配置し、照明器具配置スペース３９の内部におかれた上記調光用照明器具からの光が透過して各オブジェに当たるようになっている。更に、光ファイバ導光管出口４２を背面に配置し、ピンポイントで光りが正面から見えるようにする。そして、各オブジェの隙間は最適に光りが通るように調整されオブジェに上下左右後方から光りがとどくような仕組みになっている。
【００５５】
そして、各調光ユニット２０の運転を今までに説明したように、基本調光データＡに対して設定器により明るさ上限、明るさ下限、データ変更時間、データ開始点、データ遅延量の５つの設定項目を適宜に設定することにより、各蛍光灯器具の点灯パターンを関連性させたり、ばらばらのパターンで調光点灯させることができ、光窓の照明セット本体３８内部の光が明暗を繰り返しながら、いままでにない幻想的な光の演出効果を加え、さらにまた三次元的に移動する演出を行う光窓照明の照明制御システムを提供できる。
また、各蛍光灯の光をフィルタ等で色を付け、例えば赤、緑、青のようにすることによって、時間と共に光りの色が変化し、その変化が上記の各オブジェに照らされるので、幻想的な演出効果を出すことができる。
さらに、光ファイバ用光源４９に接続されている光ファイバ導光管出口４２についても同様で、ここから光りがもれるような効果を出せば、例えば星のまたたきのような効果をだすこともできる。
以上の説明は光窓照明の説明であるが、ショウウィンドウ等のディスプレイについても適用できることは勿論である。
【００５６】
実施の形態５．
図２４は本発明の実施の形態５の照明制御装置の調光ユニットの構成を示すブロック図である。
実施の形態２がマイクロコンピュータ３７の中に照明テーブル２３と調整テーブル３６を置いているのに対し、この実施の形態５は、調光ユニット２０内でマイクロコンピュータ３７の外に照明テーブル２３と調整テーブル３６を外部記憶装置５０の形で設け、その外部記憶装置５０内にさらに特性切替スイッチ３０で設定する設定値が事前に記憶されている特性切替設定メモリ５１を設けている。
また、調光ユニット２０の調光信号生成回路３２の出力側に２系統のトライアック出力回路３３ａ、３３ｂと調光用照明器具３４ａ、３４ｂが設けられている。
このように、照明テーブル２３と調整テーブル３６と特性切替設定メモリ５１を外部記憶装置５０の形で設けることにより、この部分を後で交換することによって簡単に安価に変更することができ、しかも多種の調光用照明器具に対応でき、また照明効果も容易に変更でき、基本回路の汎用性も広がる。
さらに、外部記憶装置５０には調整機能がないので、調光設定を勝手にいじられる心配が少なくなる。
【００５７】
図２５は本発明の実施の形態５の変形例の照明制御システムの調光ユニットの構成を示すブロック図である。
この変型例は実施の形態５の外部記憶装置の中から特性切替設定メモリ５１を除き、特性切替設定メモリ５１の代わりの特性切替スイッチを外部記憶装置の外部で、調光ユニット２０内に設けたものである。
この変形例では、照明テーブル及び調整テーブルはそのままで、調光用照明器具の種類を変える場合に有用である。
【００５８】
実施の形態６．
図２６は本発明の実施の形態６の照明制御装置の調光ユニットの構成を示すブロック図である。
実施の形態２がマイクロコンピュータ３７の中に照明テーブル２３と調整テーブル３６を置いているのに対し、この実施の形態６は、調光ユニット２０の外に照明テーブル２３と調整テーブル３６を外部設定器５２の形で設け、その外部設定器５２内にさらに特性切替スイッチ３０で設定する設定値が事前に記憶される特性切替設定メモリ５１を設けている。
さらに、調光油ユニット２０内には外部設定器５２からの調光データが入力される外部設定入力回路５３を設け、マイクロコンピュータ３７内には外部設定入力回路５３からの調光データを記憶する記憶装置５４が設けられ、その記憶装置５４の出力側は選択回路２８と調光特性テーブル３１に接続されている。
また、調光ユニット２０の調光信号生成回路３２の出力側に２系統のトライアック出力回路３３ａ、３３ｂと調光用照明器具３４ａ、３４ｂが設けられている。
【００５９】
この実施の形態６のように照明テーブル２３と調整テーブル３６と特性切替設定メモリ５１を外部設定器５２の形で設けることにより、外部設定器５２でまとめて設定をおこなうことができるため、多くの調光ユニット２０を設置する場合等現場設定を簡単に行うことができる。
また、外部設定器５２から出力された調光データは、マイクロコンピュータ３７内の記憶装置５４に記憶させておくため、この記憶装置５４の内容を書き替えるようにしておけば、外部設定器５２の設定を変えることにより、異なった演出効果を簡単に、しかも安価に変更することが可能となり、基本回路の汎用性が拡がる。
【００６０】
また、図２６で示した照明制御装置は外部設定器５２と調光ユニット２０との接続が通信線で行われている。
しかし、特に演出照明に関しては、自動運転が基本の運転モードであるので、外部設定器５２の調光データをマイクロコンピュータ３７内の記憶装置５４に記憶させておけば、外部設定器５２を常時接続しておく必要はない。
このような場合については、設置工事の簡便さを考慮し外部設定器５２と調光ユニット２０とを調整時のみ通信線で接続するか、又は外部設定器５２と調光ユニット２０とを赤外線や電波などのように無線により接続するようにしてもよい。
この実施の形態６の応用で、図２７に示すように、記憶装置５４をマイクロコンピュータ３７の外、調光ユニット２０の中の位置においてもよい。このようにすることによって特徴づけられるのは、照明テーブル２３など記憶するべきデータを多く必要な場合においてマイクロコンピュータ３７のメモリが少ない場合、またはない場合においてもマイクロコンピュータ３７は共通にして設計でき、記憶装置５４の部分をかえ必要な記憶容量を用意すればよいことになる。また、照明テーブル２３や調整テーブル３６や特性切替設定メモリ５１の内容を頻繁に書き換える必要性のある場合においては、書き換え回数が制限されているメモリを使用する場合等、記憶装置５４の部分のみを容易に交換可能なものにすることによってメンテナンス性を考慮した設計が可能となる。
【００６１】
実施の形態７．
図２８は本発明の実施形態７の照明制御装置の調光ユニットの構成を示すブロック図である。
実施の形態２がマイクロコンピュータ３７の中に照明テーブル２３と調整テーブル３６を置いているのに対し、この実施の形態７は、調光ユニット２０の外に照明テーブル２３と調整テーブル３６を外部記憶装置５５の形で設け、その外部記憶装置５５内にさらに特性切替スイッチ３０で設定する設定値が事前に記憶されている特性切替設定メモリ５１を設けている。
さらに、調光ユニット２０内には外部記憶装置５５からの調光データが入力される外部設定入力回路５３が設けられ、選択回路２８と調光特性テーブル３１に接続されている。
また、調光ユニット２０の調光信号制御回路３２の出力側に２系統のトライアック出力回路３３ａ、３３ｂと調光用」照明器具３４ａ、３４ｂが設けられている。
【００６２】
この実施の形態７のように照明テーブル２３と調整テーブル３６と特性切替メモリ５１を外部記憶装置５５の形で設けることにより、早期に調光ユニット２０を現場に設置した後に、演出照明プランが決定した場合に、種類の決まった調光用照明器具と作成された調光データを記憶した外部記憶装置５５で設定することで現場設定を簡単に行うことができる。
【００６３】
また、図２９のように調光ユニット２０を１台のみでなく複数使用する場合において、照明テーブル２３、調整テーブル３６、特性切替設定メモリ５１などを共有化できる調光ユニット２０に関しては外部記憶装置５５を１台に対して複数の調光ユニット２０に接続できることになるから、外部記憶装置５５の容量削減を行うことができ、コストの低減を図ることができる。
【００６４】
【発明の効果】
以上説明したように、本発明の請求項１に記載の照明制御装置にあっては、基本調光データを記憶する照明テーブルと、照明テーブルの基本調光データに基づき調光信号を生成して出力する調光信号生成回路と、調光信号生成回路が出力する調光信号に基づき調光用照明器具を調光点灯する調光装置とを有する調光ユニットの外部に、照明テーブルと、照明テーブルの基本調光データの明るさを所望の上限又は下限に設定或いはデータ出力間隔を所望の間隔に変更するデータ変更時間を設定して基本調光データを加工して記憶する調整テーブルと、選択した調光照明用器具の特性を記憶する特性切替設定メモリとを有する外部設定器を備え、調光ユニット内に該外部設定器の出力を受け入れる外部設定入力回路と、該外部設定入力回路が受け入れた出力を記憶し、調光データを調光制御信号生成回路に出力する記憶装置とを設けたので、例えば人間に安らぎを与えたり、人間に刺激を与えるものや危険を感じさせる等の各種の基本調光データを外部設定器によって明るさやデータ変更時間を設定し、明るさや、或いはデータ変更時間が加工された調光データに基づき調光信号を生成回路が調光信号を生成し、その調光信号に基づき調光装置が調光用照明器具を調光点灯することにより、例えば同じ人間に安らぎを与える基本調光データでも各種の調光を得ることができ、種々の演出効果を提供することができるという効果がある。
また、外部設定器でまとめて設定を行うことができるため、多くの調光ユニットを設置する場合等現場設定を簡単に行うことができ、又外部設定器から出力される調光データは、調光ユニットの記憶装置に記憶させておくため、この記憶装置の内容を書き替えるようにしておけば、外部設定器の設定を変えることにより、異なった演出効果を簡単に、しかも安価に変更することが可能となり、基本回路の汎用性が拡がるという効果がある。
【００６５】
本発明の請求項２に記載の照明制御装置にあっては、調光ユニットは多数の調光用照明器具を調光点灯する外部の調光装置に調光信号生成回路が出力する調光信号をＤ／Ａ変換して出力する出力装置を有するので、調光ユニット単体では比較的小容量の調光用照明器具にしか対応できないものを、外付けの調光装置を別途用意して調光ユニットに接続することによって、それより大容量の負荷について対応可能となり、より大きな対象物についても標準の調光ユニットを用意するだけで演出照明用の調光設備を実現することが可能となり、納期の短縮や標準化が図られ、メンテナンス性も統一化されるため、トータルのコストが低減されるという効果がある。
【００６６】
本発明の請求項３に記載の照明制御装置にあっては、調光ユニットは外部の環境に合わせ同期させて作成された調光データをＡ／Ｄ変換して記憶する記憶装置と、記憶装置が記憶した調光データと照明テーブルが記憶した基本調光データとを選択し、選択した調光データを外部設定器が設定した設定値に基づいて加工して調光信号生成回路に出力するようにしたので、例えば太陽光、風、川の流れ等の自然界の変化のデータやそれ以外の各種データを記憶装置に記憶させておけば、自然界の変化のデータやそれ以外の各種データを再現した演出照明が可能となり、さらに外部設定器で明るさやデータ変更時間等を設定することにより、自然界の変化のデータやそれ以外の各種データが明るさやデータ変更時間で加工されることにより、同じ自然界の変化を表す調光データやそれ以外の各種データでも各種の調光を得ることができ、種々の演出効果を提供することができるという効果がある。
【００６７】
本発明の請求項４に記載の照明制御装置にあっては、基本調光データを記憶する照明テーブルと、照明テーブルの基本調光データに基づき調光信号を生成して出力する調光信号生成回路と、調光信号生成回路が出力する調光信号に基づき調光用照明器具を調光点灯する調光装置とを有する調光ユニットは照明テーブルの基本調光データの明るさを所望の上限に設定する機能、所望の下限に設定、データ出力間隔を所望の間隔に変更するデータ変更時間の設定する機能の少なくともいずれかの機能又はこれらの機能を任意の数だけ組み合わせて記憶し、照明テーブルの基本調光データを加工して調光信号生成回路に出力する調整テーブルを有するので、演出する対象の照明器具や演出する調光度合いが明確になっている場合には、予め明るさやデータ変更時間の設定値等が記憶される調整テーブルを用意することによって、調光ユニットを現場に設置した後、現場調整を行う手間が軽減されたり、外部設定器に関する部品を削減することが可能となり、安価なシステムを市場に供給することが可能となり、スタンド等の比較的小型な照明器具に有効であるという効果がある。
【００６８】
本発明の請求項５に記載の照明制御装置にあっては、調光ユニットが調光信号生成回路から調光信号をそれぞれ受ける複数の調光装置と、照明テーブルの基本調光データの明るさを所望の上限に設定する機能、所望の下限に設定、データ出力間隔を所望の間隔に変更するデータ変更時間の設定する機能、照明テーブルの基本調光データをそのまま出力させると共に複数の所定の遅延時間を与えた基本調光データをそれぞれ出力するように設定する機能、或いは照明テーブルの基本調光データに対してそれぞれ複数の所定の開始点を与えた基本調光データをそれぞれ出力するように設定する機能の少なくともいずれかの機能又はこれらの機能を任意の数だけ組み合わせて記憶し、照明テーブルの基本調光データを加工して調光信号生成回路に出力する調整テーブルを有し、これら複数の調光装置にはそれぞれ調光点灯させられる複数の調光照明器具を接続したので、演出する対象の照明器具や演出する調光度合いが明確になっている場合には、予め明るさやデータ変更時間の設定値が記憶される調整テーブルを用意することによって、調光ユニットを現場に設置した後、現場調整を行う手間が軽減されたり、外部設定器に関する部品を削減することが可能となり、安価なシステムを市場に供給することが可能となり、更に調整テーブルに例えば遅延時間を設定する機能を記憶させると、複数の調光用照明器具について先頭の調光用照明器具に対して後続の調光用照明器具が点灯状態を追いかけるように調光点灯するようになるため、光が規則的に左右に移動するように観測され、光の明暗及び光りの移動が再現でき演出効果が高まり、又例えば基本調光データに対して開始点を異なるように設定する機能を記憶させると、複数の調光用照明器具についてそれぞれ調光点灯パターンを変えることができるようになり、しかも複数の調光用照明器具の調光点灯に関し、同じ基本調光データを使用しているので、全体としての演出効果の統一性は保たれるという効果がある。
【００６９】
本発明の請求項６に記載の照明制御装置にあっては、調光ユニットが調光用照明器具の種類を選択できる特性切替スイッチと、調光用照明器具の種類に応じた各種調光特性を記憶し、該特性切替スイッチが選択した調光用照明器具の調光特性を調光信号生成回路に出力する調光特性テーブルとを有しているので、調光用照明器具が白熱灯、又は蛍光灯というように負荷の種類によって最適なものを特性切替スイッチによって調光特性テーブルから選定することにより、照明負荷の種類が変更になっても、例えば白熱灯から蛍光灯への変更等調光ユニットを変換する必要はなく、調光ユニットの共通化を図ることができるという効果がある。
【００７０】
本発明の請求項７に記載の照明制御装置にあっては、照明テーブルと、調整テーブルと、選択した調光用照明器具の調光特性を記憶する特性切替設定メモリとを有する外部記憶装置を調光ユニットの外部に備え、調光ユニット内に該外部記憶装置の出力を受け入れる外部設定入力回路を設けたので、照明テーブルと、調整テーブルと、特性切替設定メモリを有する外部記憶装置を後で設置することによって簡単に現場設定を行うことができる。しかも、多数の調光ユニットを１台の外部記憶装置で共有させる場合は外部記憶装置の容量を削減でき、コストの低減が図れる。しかも、外部記憶装置には調整機能がないので、調光設定を勝手にいじられる心配が少なくなるという効果がある。
【００７１】
本発明の請求項８に記載の照明制御装置にあっては、調光ユニットが多数の調光用照明器具を調光点灯する外部の調光装置に調光信号生成回路が出力する調光信号をＤ／Ａ変換して出力する出力装置を有するので、調光ユニット単体では比較的小容量の調光用照明器具にしか対応できないものを、外付けの調光装置を別途用意して調光ユニットに接続することによって、それより大容量の負荷について対応可能となり、より大きな対象物についても標準の調光ユニットを用意するだけで演出照明用の調光設備を実現することが可能となり、納期の短縮や標準化が図られ、メンテナンス性も統一化されるため、トータルのコストが低減されるという効果がある。
【００７２】
本発明の請求項９に記載の照明制御装置にあっては、調光ユニットは外部の環境に合わせ同期させて作成された調光データをＡ／Ｄ変換して記憶する記憶装置と、記憶装置が記憶した調光データと照明テーブルが記憶した基本調光データとを選択し、選択した調光データを外部記憶装置が出力した出力値に基づいて加工して調光信号生成回路に出力するようにしたので、例えば太陽光、風、川の流れ等の自然界の変化のデータやそれ以外の各種データを記憶装置に記憶させておけば、自然界の変化のデータやそれ以外の各種データを再現した演出照明が可能となり、さらに外部記憶装置で明るさやデータ変更時間等を設定することにより、自然界の変化のデータやそれ以外の各種データが明るさやデータ変更時間で加工されることにより、同じ自然界の変化を表す調光データやそれ以外の各種データでも各種の調光を得ることができ、種々の演出効果を提供することができるという効果がある。
【図面の簡単な説明】
【図１】  本発明の実施の形態１の照明制御装置の調光ユニットの構成を示すブロック図である。
【図２】  同照明制御装置の構成を示すブロック図である。
【図３】  照明テーブルに記憶された基本調光データを示すグラフである。
【図４】  基本調光データに対して明るさ上限と下限を加工した調光データである。
【図５】  照明テーブルに記憶された基本調光データを示すグラフである。
【図６】  基本調光データに対してデータ変更時間を加工した調光データである。
【図７】  照明テーブルに記憶された基本調光データの一部を示すグラフである。
【図８】  基本調光データの一部に対してデータ変更時間を加工し、且つ直線補間をした調光データである。
【図９】  基本調光データに対して明るさ上限と下限及びデータ変更時間をを加工した調光データである。
【図１０】  各種の調光用照明器具の調光特性及びその位相角と電源波形の関係を示す波形図である。
【図１１】  同照明制御装置の調光ユニットの出力回路に外部の調光装置が接続された状態を示すブロック図である。
【図１２】  同照明制御装置の調光ユニットの入力回路に太陽電池が接続された状態を示すブロック図である。
【図１３】  同照明制御装置の調光ユニットの入力回路に風力発電機が接続された状態を示すブロック図である。
【図１４】  同照明制御装置の調光ユニットの入力回路に水車の発電機が接続された状態を示すブロック図である。
【図１５】  本発明の実施の形態２の照明制御装置の調光ユニットの構成を示すブロック図である。
【図１６】  本発明の実施の形態３の照明制御装置の調光ユニットの構成を示すブロック図である。
【図１７】  同照明制御装置の構成を示すブロック図である。
【図１８】  設定器により基本調光データに対してデータ遅延量を設定した例を示す説明図である。
【図１９】  樹木のライトアップの適用例を示す説明図である。
【図２０】  複数の樹木のライトアップの応用例を示す説明図である。
【図２１】  設定器により基本調光データに対してデータ開始点を設定した例を示す説明図である。
【図２２】  本発明の実施の形態４の照明制御装置の構成を示すブロック図である。
【図２３】  同照明制御装置により照明される光窓照明の例を示す説明図である。
【図２４】  本発明の実施の形態５の照明制御装置の調光ユニットの構成を示すブロック図である。
【図２５】  本発明の実施の形態５の変形例の照明制御システムの調光ユニットの構成を示すブロック図である。
【図２６】  本発明の実施の形態６の照明制御装置の調光ユニットの構成を示すブロック図である。
【図２７】  同照明制御装置の応用例を示すブロック図である。
【図２８】  本発明の実施の形態７の照明制御装置の調光ユニットの構成を示すブロック図である。
【図２９】  同照明制御装置の応用例を示すブロック図である。
【図３０】  従来の照明制御装置の構成を示すブロック図である。
【符号の説明】
２０  調光ユニット、２３  照明テーブル、２４  設定器、３２  調光信号生成回路、３３  トライアック出力回路（調光装置）、３４  調光用照明器具。
【図１】
0004476426.tif 000002
【図２】
0004476426.tif 000003
【図３】
0004476426.tif 000004
【図４】
0004476426.tif 000005
【図５】
0004476426.tif 000006
【図６】
0004476426.tif 000007
【図７】
0004476426.tif 000008
【図８】
0004476426.tif 000009
【図９】
0004476426.tif 000010
【図１０】
0004476426.tif 000011
【図１１】
0004476426.tif 000012
【図１２】
0004476426.tif 000013
【図１３】
0004476426.tif 000014
【図１４】
0004476426.tif 000015
【図１５】
0004476426.tif 000016
【図１６】
0004476426.tif 000017
【図１７】
0004476426.tif 000018
【図１８】
0004476426.tif 000019
【図１９】
0004476426.tif 000020
【図２０】
0004476426.tif 000021
【図２１】
0004476426.tif 000022
【図２２】
0004476426.tif 000023
【図２３】
0004476426.tif 000024
【図２４】
0004476426.tif 000025
【図２５】
0004476426.tif 000026
【図２６】
0004476426.tif 000027
【図２７】
0004476426.tif 000028
【図２８】
0004476426.tif 000029
【図２９】
0004476426.tif 000030
【図３０】
0004476426.tif 000031